(57)【特許請求の範囲】
【請求項１】
映像が表示される表示部を備え、ユーザの使用制限に係わる複数の設定項目ついて個々に機能の設定が可能な業務用映像表示装置において、
前記複数の設定項目それぞれにその機能が設定された場合に、設定された機能の設定パターンに対して演算を行った結果を第１の指標とし、これを前記表示部に表示させ、さらに、前記複数の設定項目のうち予め特定された設定項目について設定された機能をより具体化する、補助的な設定内容を第２の指標とし、これを前記表示部に表示させる表示制御部と、
前記第１の指標を示す信号が入力された場合には、前記複数の設定項目について前記設定パターンとなるように一括して機能を設定するとともに、前記第１の指標を設定パターンとともに前記表示部に表示させ、さらに、前記第２の指標を示す信号が入力された場合には、前記予め特定された設定項目についての機能を前記第２の指標に対応する内容として具体的に設定するとともに、前記第２の指標を前記第１の指標とともに前記表示部に表示する制御部と、
前記第１の指標及び前記第２の指標を示す信号を制御部へ入力するために操作される操作部と、
この操作部を備えたリモコン装置と、
このリモコン装置から送信されてくる前記第１の指標及び前記第２の指標を示すリモコン信号を受信するリモコン信号受信部とを
備えることを特徴とする業務用映像表示装置。
【請求項２】
前記複数の設定項目は、機能の設定をユーザの使用を制限するかしないかの二者択一形式とするものであって、これら設定項目についての機能の設定は、それぞれ二進記数法で表したものであり、
前記第１の指標は、前記複数の設定項目についての、二進記数法で表わされた機能の設定パターンを十進記数法に換算した数値である
ことを特徴とする請求項１に記載の業務用映像表示装置。
【請求項３】
前記二進記数法で表わされた機能の設定パターンは、前記予め特定された設定項目について設定された機能を最上位のビットに割り当てるように構成されたものである
ことを特徴とする請求項２に記載の業務用映像表示装置。
【発明の詳細な説明】
【技術分野】
【０００１】
本発明は、例えば、宿泊施設の客室等に導入されるテレビ受信装置等の業務用映像表示装置に関する。
【背景技術】
【０００２】
一般に、映像が表示される表示部を備えるテレビ受信装置等の映像表示装置は、ユーザ（即ち、映像表示装置の使用者）等により、映像表示装置に係る機能の設定を行うことができ、機能の設定を行う際には、映像表示装置に設けられた操作部やリモコン装置を用いて、複数の設定項目について個々に機能を設定することが知られている。
【０００３】
ところで、上述したように複数の設定項目について個々に機能を設定する場合は、機能の設定が煩雑であった。即ち、例えば、リモコン装置に設けられたボタンを押下して機能の設定を行う際は、少なくとも設定項目数の回数だけボタンを押下する必要がある。このため、設定項目が多くなる程、機能の設定が煩雑となる。特に、テレビ受信装置等の映像表示装置が、宿泊施設の客室等に設置されて業務用として使用される場合には、機能の設定が煩雑であって機能の設定をすべき映像表示装置が多いため、機能の設定に係る操作を誤るといった人為的なミスが発生する場合があった。
【０００４】
そこで、機能の設定を簡単にするために、複数の設定項目について一括して機能を設定することが考えられる。複数の設定項目について一括して機能を設定するものとしては、例えば、モードを選択できるように構成するとともに、機能を設定する者によって選択されたモードに対応するテーブルの設定内容に基づいて、一括して機能を設定することが知られている。また、テーブルに登録されている設定内容を変更することが知られている（例えば、特許文献１参照）。
【特許文献１】特開２００６−３３０３０６号公報
【発明の開示】
【発明が解決しようとする課題】
【０００５】
しかしながら、上記特許文献１に記載されるように選択されたモードに対応するテーブルの設定内容に基づいて、一括して機能を設定する場合には、複数台の映像表示装置について、複数の設定項目について個々に機能を設定した場合の設定パターン（即ち、設定内容の組み合わせ）で、機能を設定することが困難であった。即ち、予め用意されている選択されるモードは一括して機能を設定することができる設定パターンが限られており、モードに対応したテーブルの設定内容が変更可能であっても、変更されたテーブルの設定内容は、１台の映像表示装置のみにしか反映されない。従って、複数台の映像表示装置について、任意の設定パターンで、機能の設定が同じ設定となるように、機能の設定を行うことが困難であるという問題があった。
【０００６】
本発明は、こうした実情に鑑みてなされたものであり、その目的は、複数台の映像表示装置について、任意の設定パターンで、機能の設定が同じ設定となるように、機能の設定を容易に行うことができる業務用映像表示装置を提供することにある。
【課題を解決するための手段】
【０００７】
請求項１に記載の発明は、映像が表示される表示部を備え、ユーザの使用制限に係わる複数の設定項目ついて個々に機能の設定が可能な業務用映像表示装置において、前記複数の設定項目それぞれにその機能が設定された場合に、設定された機能の設定パターンに対して演算を行った結果を第１の指標とし、これを前記表示部に表示させ、さらに、前記複数の設定項目のうち予め特定された設定項目について設定された機能をより具体化する、補助的な設定内容を第２の指標とし、これを前記表示部に表示させる表示制御部と、前記第１の指標を示す信号が入力された場合には、前記複数の設定項目について前記設定パターンとなるように一括して機能を設定するとともに、前記第１の指標を設定パターンとともに前記表示部に表示させ、さらに、前記第２の指標を示す信号が入力された場合には、前記予め特定された設定項目についての機能を前記第２の指標に対応する内容として具体的に設定するとともに、前記第２の指標を前記第１の指標とともに前記表示部に表示する制御部と、前記第１の指標及び前記第２の指標を示す信号を制御部へ入力するために操作される操作部と、この操作部を備えたリモコン装置と、このリモコン装置から送信されてくる前記第１の指標及び前記第２の指標を示すリモコン信号を受信するリモコン信号受信部とを備えることを特徴とする。
【０００８】
同構成によれば、ユーザの使用制限に係わる複数の設定項目についての設定パターンに対応する第１の指標を表示部に表示させる表示制御部と、第１の指標を示す信号が入力されることにより、複数の設定項目について上記設定パターンとなるように一括して機能を設定する制御部とを備える。このため、機能を設定する際に、複数の設定項目について個々に機能を設定することにより、その設定パターンに対応した第１の指標を表示部に表示することができ、任意の設定パターンに対応した第１の指標を、機能を設定する者に提示することができる。そして、表示部に表示された第１の指標を示す信号を制御部へ入力することにより、複数の設定項目について上記設定パターン（即ち、第１の指標に対応する設定パターン）となるように一括して機能を設定することができる。従って、第１の指標を示す信号を、例えば、２台目以降の本発明に係る映像表示装置の制御部に入力することにより、複数台の映像表示装置について、任意の設定パターンで、機能の設定が同じ設定となるように、機能の設定を容易に行うことができる。また、表示制御部は、前記複数の設定項目のうち予め特定された設定項目について設定された機能をより具体化した、補助的な設定内容を第２の指標とし、これを表示部に表示させ、また、制御部は、第２の指標を示す信号が入力された場合には、予め特定された設定項目についての機能を設定する。このため、第１の指標に対応する設定パターンが、予め特定された設定項目について設定された機能をより具体化して設定する必要がない場合は、第２の指標を表示部に表示させないようにすることができ、第２の指標を、機能を設定する者に対して提示しないようにすることができる。従って、第１の指標に対応する設定パターンが、第２の指標を示す信号を入力する必要がない設定パターンであれば、第１の指標を示す信号のみを制御部へ入力することにより、機能を設定することができる。
【００１０】
また、操作部を備えたリモコン装置と、このリモコン装置から送信されてくる第１の指標及び第２の指標を示すリモコン信号を受信するリモコン信号受信部とをさらに備えているため、表示部に表示された第１の指標を示す信号を遠隔操作により制御部へ入力することにより、複数の設定項目について上記設定パターンとなるように一括して設定することを容易に行うことができる。また、表示部に表示された第２の指標を示す信号を遠隔操作により制御部へ入力することにより、予め特定された設定項目について機能をより具体的に設定することができる。
【００１４】
また、表示制御部は、設定パターンに対して演算を行った結果を、第１の指標として表示部に表示させるため、例えば、設定パターンと第１の指標との対応を示すテーブルをメモリに記憶させる必要をなくすことができる。
【００１６】
また、第１の指標を示す信号が制御部へ入力された場合には、前記複数の設定項目について前記設定パターンとなるように一括して機能を設定するとともに、前記第１の指標を設定パターンとともに前記表示部に表示させるので、この映像表示装置を管理する管理者が、機能を一括して設定するための意図した設定パターンとなっているか否かを容易に確認することができる。
また、請求項２に記載の発明は、前記複数の設定項目は、機能の設定をユーザの使用を制限するかしないかの二者択一形式とするものであって、これら設定項目についての機能の設定は、それぞれ二進記数法で表したものであり、前記第１の指標は、前記複数の設定項目についての、二進記数法で表わされた機能の設定パターンを十進記数法に換算した数値であることを特徴とする。
同構成によれば、第１の指標を簡単な数字で表すことができるので、取扱操作が容易になる。
また、請求項３に記載の発明は、前記二進記数法で表わされた機能の設定パターンは、前記予め特定された設定項目について設定された機能を最上位のビットに割り当てるように構成されたものであることを特徴とする。
同構成によれば、第２の指標が設定されている場合と第２指標が設定されていない場合とで第１の指標を成す数値が大小変化するので、第１の指標を見るだけで第２の指標が設定されているか否かを判別することができる。
【発明の効果】
【００１７】
本発明によれば、ユーザの使用制限に係わる複数の設定項目について、その機能が設定された場合に、設定された機能を設定パターンとして表示する第１の指標と、前記設定項目のうち予め特定された設定項目について、設定された機能をより具体的にした、補助的な設定内容として表示する第２の指標とを利用している。そして、この第１の指標及び第２の指標を利用することにより、複数の業務用映像表示装置それぞれに対し、複数の設定項目についての機能の設定を容易に行うことができる。
【発明を実施するための最良の形態】
【００１８】
以下に、本発明の具体的な実施形態について図面を参照しながら説明する。実施形態に係る映像表示装置は、テレビ受信装置であって、映像が表示される表示部（即ち、ディスプレイ）を備えている。
【００１９】
（第１の実施形態）
図１は、本発明の第１の実施形態に係る映像表示装置の概略構成を示すブロック図である。図１に示すように、テレビ受信装置１は、放送信号を受信して、放送信号に含まれる映像情報に基づいて、表示部であるディスプレイ７に映像を表示するとともに、放送信号に含まれる音声情報に基づいて、スピーカー９により音声を再生するものである。
【００２０】
また、テレビ受信装置１は、例えば、宿泊施設の客室に導入される業務用の映像表示装置であって、業務用の機能を有している。より具体的には、テレビ受信装置１は、本体操作部１３の操作を禁止する機能や、入力切換を禁止する機能や、設定メニューの表示を禁止する機能や、リモコン装置１５の操作を禁止する機能や、最大音量を設定する機能を有しており、これらの機能の設定が可能である。
【００２１】
テレビ受信装置１は、デジタル放送信号（以下、単に「放送信号」という。）を受信するアンテナＡに接続されたチューナー２と、チューナー２から出力された信号を復調するとともに誤り符号訂正を行う復調部３と、復調部３により復調された信号のスクランブルを解除するデスクランブル部４とを備えている。
【００２２】
また、テレビ受信装置１は、スクランブルが解除された信号を、映像データ、音声データ等に分離する多重分離部５と、映像信号に対して信号処理を施す映像信号処理部６と、ディスプレイ７と、音声信号に対して信号処理を施す音声信号処理部８と、スピーカー９とを備えている。
【００２３】
さらに、テレビ受信装置１は、テレビ受信装置１の各部（例えば、チューナー２や映像信号処理部６や音声信号処理部８）を制御する制御部１０と、設定記憶部１１と、表示制御部１２と、本体操作部１３と、リモコン信号受信部１４とを備えている。
【００２４】
制御部１０は、例えば、メモリ（不図示）に記載されたプログラムを実行するＣＰＵ（Central Processing Unit）やマイコンであって、映像信号処理部６や音声信号処理部８や表示制御部１２へ制御信号を出力して、テレビ受信装置１の各部を制御する。
【００２５】
また、制御部１０は、制御部１０に入力される信号に基づいて、テレビ受信装置１の機能を設定する際に必要な設定項目に係る設定内容を、設定記憶部１１に書き込んで記憶させる。即ち、テレビ受信装置１は、設定記憶部１１に記憶された設定内容に基づいて、上述した機能を発揮するため、制御部１０が、設定内容を設定記憶部１１に書き込むことで機能を設定する。より具体的には、例えば、設定内容を選択する旨の信号が制御部１０に入力された場合は、制御部１０は、選択された設定内容を設定記憶部１１に書き込むことで、複数の設定項目について個々に機能を設定する。また、第１の指標を示す信号が制御部１０に入力された場合は、複数の設定項目について第１の指標に対応する設定パターン（即ち、設定内容の組み合わせ）となるように、制御部１０は、複数の設定内容を設定記憶部１１に書き込むことで、複数の設定項目について一括して機能を設定する。また、第２の指標を示す信号が制御部１０に入力された場合は、制御部１０は、第２の指標に対応する補助的な設定内容を設定記憶部１１に書き込むことで、所定の設定項目について補助的に機能を設定する。
【００２６】
また、制御部１０は、設定内容を設定記憶部１１に書き込んで記憶させる動作以外にも、本体操作部１３やリモコン信号受信部１４から制御部１０へ入力された信号に応じた動作を行う。
【００２７】
設定記憶部１１は、ＥＥＰＲＯＭ等の書き込み・消去可能な不揮発性メモリであって、テレビ受信装置１の機能を設定する際に必要な設定項目に係る設定内容が、書き込まれて記憶されている。本実施形態においては、上述した各種の機能を設定する際に必要な設定項目は、「本体操作部の操作禁止」、「入力切換の禁止」、「設定メニューの表示禁止」、「リモコン装置の操作禁止」、「最大音量の設定」の５つの設定項目である。これらの設定項目の設定内容として「する」または「しない」（即ち、機能を発揮するか否かを示す情報）が設定記憶部１１に記憶されている。また、「最大音量の設定」の設定項目について補助的に機能を設定するための補助的な設定内容である「最大音量値」（即ち、最大音量を示す情報）が設定記憶部１１に記憶されている。
【００２８】
従って、設定記憶部１１に記憶された設定内容に基づいて、テレビ受信装置１は、上述した各種の機能を発揮する。より具体的には、設定記憶部１１に記憶された「本体操作部の操作禁止」の設定内容が、「する」である場合は（即ち、機能を発揮することを示している場合は）、制御部１０が、本体操作部１３から入力される信号を無効化することで、テレビ受信装置１は本体操作部１３の操作を禁止する機能を発揮する。また、設定記憶部１１に記憶された「入力切換の禁止」の設定内容が、「する」である場合は、制御部１０が、映像信号処理部６や音声信号処理部８に入力される映像信号及び音声信号を切り換える旨の信号を無効化することで、テレビ受信装置１は入力切換を禁止する機能を発揮する。また、設定記憶部１１に記憶された「設定メニューの表示禁止」の設定内容が、「する」である場合は、制御部１０が、設定メニューを表示する旨の信号を無効化することで、テレビ受信装置１は設定メニューの表示を禁止する機能を発揮する。また、設定記憶部１１に記憶された「リモコン装置の操作禁止」の設定内容が、「する」である場合は、制御部１０が、リモコン信号受信部１４から入力される信号を無効化することで、テレビ受信装置１は、リモコン装置１５の操作を禁止する機能を発揮する。また、設定記憶部１１に記憶された「最大音量の設定」の設定内容が、「する」である場合は、制御部１０が、設定記憶部１１に記憶された「最大音量値」を制御信号として音声信号処理部８へ出力することで、テレビ受信装置１は、最大音量を設定する機能を発揮する。
【００２９】
表示制御部１２は、ＯＳＤ（On Screen Display）コントローラであって、ディスプレイ７に業務用設定メニュー等のＯＳＤ画像を表示するためのＯＳＤ信号を生成するものである。表示制御部１２は、生成したＯＳＤ信号を映像信号処理部６へ出力することにより、放送信号に含まれる映像情報に基づいて表示される映像とは別に、設定メニュー等の画面（即ち、ＯＳＤ画像）をディスプレイ７に表示させ、設定項目や、設定内容や、第１の指標や、第２の指標をディスプレイ７に表示させる。本実施形態においては、第１の指標は、複数の設定項目についての設定パターンに対応する数値であって、第２の指標は、「最大音量の設定」の設定項目について補助的に機能を設定するための数値である。第２の指標は、設定パターンに応じて表示され、所定の設定パターンである場合にのみ、ディスプレイ７に表示される。
【００３０】
本体操作部１３には、テレビ受信装置１の電源オン／オフの切り換えを行うためのボタン（不図示）や、チャンネルの切り換えを行うためのボタン（不図示）等が設けられており、このようなボタンが操作されることにより、本体操作部１３から制御部１０へ、操作されたボタンに対応した信号が入力される。即ち、例えば、テレビ受信装置１の電源オン／オフの切り換えを行うためのボタンが押下された場合は、電源オン／オフの切り換えを行う旨の信号が入力され、チャンネルの切り換えを行うためのボタンが押下された場合は、チャンネルの切り換えを行う旨の信号が入力される。
【００３１】
リモコン信号受信部１４は、テレビ受信装置１を遠隔操作するためにリモコン装置１５から送信された信号（即ち、リモコン信号）を受信するものであって、例えば、赤外線で送信されたリモコン信号を受信する赤外線受光素子である。リモコン信号受信部１４によって受信された信号は、制御部１０へ入力される。
【００３２】
リモコン装置１５には、図２に示すように、ユーザが操作する操作部１５ａが設けられており、操作部１５ａは、電源キー１６、入力切換キー１７、数字キー１８、チャンネルキー１９、音量キー２０、メニューキー２１、上下キー２２、決定キー２３等のボタンから構成されている。これらのボタンが操作されることにより、リモコン装置１５は、操作されたボタンに対応した信号をリモコン信号受信部１４へ送信する。即ち、電源キー１６が押下されると、電源オン／オフの切り換えを行う旨の信号が送信され、入力切換キー１７が押下されると、映像信号処理部６や音声信号処理部８に入力される映像信号及び音声信号を切り換える旨の信号が送信される。また、数字キー１８が押下されると、数字を入力する旨の信号等が送信され、チャンネルキー１９が押下されると、チャンネルの切り換えを行う旨の信号が送信される。また、音量キー２０が押下されると、スピーカー９により再生される音声の大きさを調整する旨の信号が送信され、メニューキー２１が押下されると、一般用設定を開始するために設定メニューを表示する旨の信号が送信される。また、上下キー２２が押下されると、設定項目や設定内容等を選択するために、選択すべき設定項目や設定内容等を変更する旨の信号が送信され、決定キー２３が押下されると、設定項目や設定内容等を選択するために、選択すべき設定項目や設定内容等を決定する旨の信号等が送信される。
【００３３】
従って、制御部１０は、リモコン信号受信部１４等から入力された信号に応じた動作を行うため、例えば、メニューキー２１が操作されて設定メニューを表示する旨の信号が制御部１０へ入力されると、制御部１０から表示制御部１２へ制御信号が入力され、表示制御部１２が、設定メニューを表示するためのＯＳＤ信号を映像信号処理部６へ出力する。
【００３４】
次に、放送信号に含まれる映像データ及び音声データに基づいて、ディスプレイ７及びスピーカー９により映像や音声を出力するテレビ受信装置１の動作について、図３を参照しながら説明する。
【００３５】
まず、アンテナＡが、放送局から送信された放送信号を受信し、受信した放送信号がアンテナＡからチューナー２へ入力される（ステップＳ１）。放送信号には映像データや音声データが含まれており、特に、デジタル放送においては、放送信号には、映像データと音声データが、ＭＰＥＧ−２  Ｓｙｓｔｅｍｓに準拠して多重化されている。
【００３６】
次いで、チューナー２が、アンテナＡから入力された放送信号のうち、ユーザが指定したチャンネルに対応する放送信号を選択して、選択された放送信号を復調部３へ出力する（ステップＳ２）。即ち、チューナー２は、放送信号のうち特定周波数の放送信号を取り出して、復調部３へと出力する。
【００３７】
次いで、復調部３が、チューナー２により選択された放送信号をＡ／Ｄ変換して復調するとともに、伝送路で発生する誤り符号訂正を行い、復調及び誤り符号訂正を行った信号をデスクランブル部４へ出力する（ステップＳ３）。
【００３８】
次いで、デスクランブル部４が、信号にスクランブルが施されている場合に、ＩＣカード（不図示）に記憶されたデスクランブルキー（解除鍵）を用いて、スクランブルを解除する処理を行い、スクランブルが施されていないＴＳ（Transport Stream）形式の信号を多重分離部５へ出力する（ステップS４）。
【００３９】
次いで、多重分離部５が、入力されたＴＳ形式の信号から映像データ、音声データ等を分離して、分離したデータを映像信号処理部６や音声信号処理部８へ出力する（ステップＳ５）。より具体的には、分離された映像データは、映像信号として映像信号処理部６へ出力されるとともに、分離された音声データは、音声信号として音声信号処理部８へ出力される。
【００４０】
次いで、映像信号処理部６が、映像データを含む映像信号に対して種々の信号処理を施す（ステップＳ６）。例えば、映像信号処理部６は、ＭＰＥＧ−２  Ｖｉｄｅｏ方式により圧縮符号化された映像データの復号化（即ち、デコード）や、表示制御部１２からＯＳＤ信号が入力された場合には、ＯＳＤ画像がディスプレイ７に表示されるように、映像信号に対してＯＳＤ信号を合成する処理を施す。
【００４１】
そして、映像信号処理部６によって種々の信号処理が施された映像信号が、ディスプレイ７へ出力されるとともに、ディスプレイ７が、映像信号に基づいて映像を表示する（ステップＳ７）。
【００４２】
また、音声信号処理部８は、音声データを含む音声信号に対して種々の信号処理を施す（ステップＳ８）。例えば、音声信号処理部８は、ＭＰＥＧ−２  ＡＡＣ方式により圧縮符号化された音声データの復号化（即ち、デコード）を行う。また、設定記憶部１１に記憶された「最大音量値」が制御信号として音声信号処理部８へ入力された場合には、音声信号処理部８は、スピーカー９により再生される音声の大きさを「最大音量値」に応じて調整するための信号処理を施す。
【００４３】
そして、音声信号処理部８によって信号処理が施された音声信号が、スピーカー９へ出力されるとともに、スピーカー９が、音声信号に基づいて音声を再生する（ステップＳ９）。なお、ステップＳ６，Ｓ７と、ステップＳ８，Ｓ９とは並行する動作である。
【００４４】
ここで、本実施形態においては、テレビ受信装置１が、上述のごとく、第１の指標等をディスプレイ７に表示させる表示制御部１２と、機能を設定する制御部１０とを備える点に特徴がある。即ち、テレビ受信装置１が、第１の指標をディスプレイ７に表示させるとともに、設定パターンに応じて第２の指標をディスプレイ７に表示させる表示制御部１２と、第１の指標を示す信号が入力されることで一括して機能を設定するとともに、第２の指標を示す信号が入力された場合には補助的に機能を設定する制御部１０とを備える点に特徴がある。
【００４５】
本発明の実施形態に係るテレビ受信装置１が、宿泊施設の客室に設置されて業務用として使用される場合には、複数台のテレビ受信装置１について、機能の設定が同じ設定となるように、図４に示す手順で、業務用の機能を設定する。即ち、まず、１台目のテレビ受信装置１については、設定項目毎に設定内容を選択して機能を設定し（ステップＳ１１）、２台目以降のテレビ受信装置１については、設定値を入力して機能を一括設定する（ステップＳ１２）。
【００４６】
１台目のテレビ受信装置１の機能の設定に係る、設定項目毎に設定内容を選択して機能を設定する際の手順を、図５を参照しながら説明する。
まず、テレビ受信装置１の管理者である宿泊施設の従業員等が、本体操作部１３やリモコン装置１５の操作部１５ａを操作することで、業務用設定を開始する旨の信号が制御部１０へ入力される（ステップＳ２１）。業務用設定を開始する旨の信号を制御部１０へ入力するための操作は、例えば、複数のボタンを同時に押下する等の操作であって、一般のユーザによって行われないような操作とすることが好ましい。業務用設定を開始する旨の信号が制御部１０へ入力されると、制御部１０から表示制御部１２へ制御信号が入力され、表示制御部１２が、ＯＳＤ信号を映像信号処理部６へ出力して、設定項目を選択させるために、図６に示すようなＯＳＤ画像である業務用設定メニューをディスプレイ７に表示させる。
【００４７】
次いで、リモコン装置１５の上下キー２２と決定キー２３が操作されて、設定を行うための設定項目を選択する旨の信号が制御部１０へ入力される（ステップＳ２２）。即ち、宿泊施設の従業員等は、ディスプレイ７に表示された業務用設定メニューを参照しながらリモコン装置１５の上下キー２２と決定キー２３を操作することで、「本体操作部の操作禁止」、「入力切換の禁止」、「設定メニューの表示禁止」、「リモコン装置の操作禁止」及び「最大音量の設定」のいずれかの設定項目を選択する。設定項目を選択する旨の信号が制御部１０へ入力されると、制御部１０から表示制御部１２へ制御信号が入力され、表示制御部１２が、ＯＳＤ信号を映像信号処理部６へ出力して、設定内容を選択させるために、図７及び図８に示すようなＯＳＤ画像である業務用設定メニューをディスプレイ７に表示させる。
【００４８】
次いで、リモコン装置１５の上下キー２２と決定キー２３が操作されて、設定内容を選択する旨の信号が制御部１０へ入力される（ステップＳ２３）。即ち、宿泊施設の従業員等は、ディスプレイ７に表示された業務用設定メニューを参照しながらリモコン装置１５の上下キー２２と決定キー２３を操作することで、設定項目の設定内容として、「する」または「しない」のいずれかを選択する。また、「最大音量の設定」の設定内容として「する」が選択された場合は、制御部１０から表示制御部１２へ制御信号が入力され、表示制御部１２が、ＯＳＤ信号を映像信号処理部６へ出力して、補助的な設定内容を選択させるために、図９に示すようなＯＳＤ画像である業務用設定メニューがディスプレイ７に表示される。宿泊施設の従業員等は、業務用設定メニューを参照しながらリモコン装置１５の上下キー２２と決定キー２３を操作することで、「最大音量の設定」の設定項目について機能を設定するための補助的な設定内容である「最大音量値」として、任意の数値を選択する旨の信号が制御部１０へ入力される。制御部１０は、ステップＳ２３において選択された設定内容を設定記憶部１１に書き込んで記憶させる。このようにして設定項目毎に設定内容を選択することで、複数の設定項目について個々に機能の設定が可能である。
【００４９】
なお、設定内容が選択される前においては、初期設定として、「本体操作部の操作禁止」、「入力切換の禁止」、「設定メニューの表示禁止」、「リモコン装置の操作禁止」及び「最大音量の設定」の設定内容は、「しない」が選択された状態に設定されている。
【００５０】
以上のように、１台目のテレビ受信装置１について、機能を設定する際には複数の設定項目について設定内容を選択して個々に機能を設定することができるため、宿泊施設の従業員等が、複数の設定項目について任意の設定パターンで機能を設定することができる。
【００５１】
次いで、制御部１０は、補助的な設定内容が選択されたか否かを判断する（ステップＳ２４）。即ち、ステップＳ２３において、「最大音量の設定」の設定内容として「する」が選択されて、補助的な設定内容である「最大音量値」として任意の数値が選択されたか否かを判断する。
【００５２】
ステップＳ２４において補助的な設定内容が選択されたと判断された場合は、表示制御部１２が、ＯＳＤ信号を映像信号処理部６へ出力して、図１０に示すように、設定値として第１の指標と第２の指標をディスプレイ７に表示させる（ステップＳ２５）。即ち、「本体操作部の操作禁止」、「入力切換の禁止」、「設定メニューの表示禁止」、「リモコン装置の操作禁止」及び「最大音量の設定」の設定項目の設定パターンに対応する第１の指標と、「最大音量値」の設定内容を示す第２の指標をディスプレイ７に表示させる。設定パターンに対応した第１の指標は、二進数を十進数に変換することで求めることができる。より具体的には、図１１に示すように、各設定項目の設定内容の「する」を１とし、各設定項目の設定内容の「しない」を０として各位の値に割り当てた場合における二進記数法によって表される数値を、十進記数法によって表した場合の数値が第１の指標である。
【００５３】
即ち、例えば、「本体操作部の操作禁止」の設定内容が「する」、「入力切換の禁止」の設定内容が「しない」、「設定メニューの表示禁止」の設定内容が「する」、「リモコン装置の操作禁止」の設定内容が「しない」、「最大音量の設定」の設定内容が「する」であれば、この設定パターンは二進記数法によって（１０１０１）２と表される。二進記数法によって表される（１０１０１）２は、十進記数法によって表すと２１であるため、上記の設定パターンの場合、第１の指標は２１である。従って、ステップＳ２６において、表示制御部１２は、二進記数法によって表される設定パターンに対して、十進数に変換する演算を行った結果を、第１の指標としてディスプレイ７に表示させる。また、本実施形態においては、「最大音量値」として選択された数値が第２の指標であって、第１の指標とともに設定値としてディスプレイ７に表示される。
【００５４】
一方、ステップＳ２４において補助的な設定内容が選択されていないと判断された場合は、表示制御部１２が、ＯＳＤ信号を映像信号処理部６へ出力して、図１２に示すように、設定値として第１の指標のみをディスプレイ７に表示させる（ステップＳ２６）。
【００５５】
即ち、例えば、「本体操作部の操作禁止」の設定内容が「する」、「入力切換の禁止」の設定内容が「しない」、「設定メニューの表示禁止」の設定内容が「する」、「リモコン装置の操作禁止」の設定内容が「しない」、「最大音量の設定」の設定内容が「しない」であれば、この設定パターンは二進記数法によって（００１０１）２と表される。二進記数法によって表される（００１０１）２は、十進記数法によって表すと５であるため、上記の設定パターンの場合、第１の指標は０５である。この場合、「最大音量の設定」の設定内容は「しない」であるため、「最大音量値」として選択された数値である第２の指標は、ディスプレイ７に表示されない。
【００５６】
次いで、制御部１０が、設定項目を選択する旨の信号が制御部１０へ入力されたか否かを判断することで、設定内容が選択される他の設定項目（いわゆる、追加の設定項目）があるか否かを判断する（ステップＳ２７）。即ち、「本体操作部の操作禁止」、「入力切換の禁止」、「設定メニューの表示禁止」、「リモコン装置の操作禁止」及び「最大音量の設定」のいずれかの設定項目を選択する旨の信号が制御部１０へ入力された場合は、ステップＳ２２で選択された設定項目とは別に、設定内容が選択される他の設定項目があると判断する。一方、設定項目を選択する旨の信号が制御部１０へ入力されなかった場合は、設定内容が選択される他の設定項目がないと判断する。設定内容が選択される他の設定項目があると判断された場合は、制御部１０から表示制御部１２へ制御信号が入力され、表示制御部１２が、ＯＳＤ信号を映像信号処理部６へ出力して、設定内容を選択させるための業務用設定メニューをディスプレイ７に表示させて、ステップＳ２３以降の処理が繰り返される。
【００５７】
そして、ステップＳ２７において設定内容が選択される他の設定項目がないと判断された場合は、本体操作部１３やリモコン装置１５の操作部１５ａを操作することで、業務用設定を終了する旨の信号が制御部１０へ入力されて（ステップＳ２８）、表示制御部１２が映像信号処理部６へのＯＳＤ信号の出力を停止する。
【００５８】
次に、２台目以降のテレビ受信装置１の機能の設定に係る、設定値を入力して機能を一括設定する際の手順を、図１３を参照しながら説明する。
まず、ステップＳ２１と同様に、テレビ受信装置１の管理者である宿泊施設の従業員等が、本体操作部１３やリモコン装置１５の操作部１５ａを操作することで、業務用設定を開始する旨の信号が制御部１０へ入力される（ステップＳ３１）。そして、業務用設定を開始する旨の信号が制御部１０へ入力されると、図１４に示すようなＯＳＤ画像である業務用設定メニューをディスプレイ７に表示させる。
【００５９】
次いで、「設定値」の項目を選択する旨の信号が制御部１０へ入力される（ステップＳ３２）。即ち、宿泊施設の従業員等は、ディスプレイ７に表示された業務用設定メニューを参照しながらリモコン装置１５の上下キー２２と決定キー２３を操作することで、「設定値」の項目を選択する。「設定値」の項目を選択する旨の信号が制御部１０へ入力されると、制御部１０から表示制御部１２へ制御信号が入力され、表示制御部１２が、ＯＳＤ信号を映像信号処理部６へ出力して、設定値である第１の指標を入力させるために、図１５に示すようなＯＳＤ画像である業務用設定メニューをディスプレイ７に表示させる。
【００６０】
次いで、第１の指標を示す信号が制御部１０へ入力される（ステップＳ３３）。第１の指標を示す信号は、リモコン装置１５の操作部１５ａに設けられた数字キー１８が操作されることによりリモコン装置１５からリモコン信号としてリモコン信号受信部１４へ送信され、そして、リモコン信号受信部１４から制御部１０へ入力される。第１の指標を示す信号が制御部１０へ入力されると、表示制御部１２が、ＯＳＤ信号を映像信号処理部６へ出力して、図１６及び図１９に示すように、操作された数字キー１８に対応した数字をディスプレイ７に表示させる。
【００６１】
次いで、制御部１０が、ステップＳ３３において入力された信号が示す第１の指標に基づいて、所定の設定項目について補助的な機能の設定が必要か否かを判断する（ステップＳ３４）。即ち、「最大音量の設定」の設定内容が「する」であれば、補助的な機能の設定が必要であると判断する。第１の指標と設定パターンとは図１１に示す関係を満たすため、第１の指標が１６以上３１以下であれば「最大音量の設定」の設定内容が「する」であるため、補助的な機能の設定が必要であると判断する。補助的な機能の設定が必要であると判断された場合は、表示制御部１２が、ＯＳＤ信号を映像信号処理部６へ出力して、さらに第２の指標を入力させるために、図１６に示すようなＯＳＤ画像である業務用設定メニューをディスプレイ７に表示させる。
【００６２】
ステップＳ３４において補助的な機能の設定が必要であると判断された場合、第２の指標を示す信号が制御部１０へ入力される（ステップＳ３５）。第２の指標を示す信号は、リモコン装置１５の操作部１５ａに設けられた数字キー１８が操作されることによりリモコン装置１５からリモコン信号としてリモコン信号受信部１４へ送信され、そして、リモコン信号受信部１４から制御部１０へ入力される。第２の指標を示す信号が制御部１０へ入力されると、表示制御部１２が、ＯＳＤ信号を映像信号処理部６へ出力して、図１７に示すように、操作された数字キー１８に対応した数字をディスプレイ７に表示させる。なお、ステップＳ３４において補助的な機能の設定が必要ないと判断された場合は、第２の指標を示す信号は制御部１０へ入力されない。
【００６３】
次いで、制御部１０が、複数の設定項目について、所定の設定パターンとなるように一括して機能を設定する（ステップＳ３６）。即ち、ステップＳ３３において入力された信号が示す第１の指標に対応する設定パターンとなるように、制御部１０が、一括して機能を設定する。第１の指標と設定パターンは図１１に示す関係を満たすため、十進数の第１の指標を、二進数に変換する演算を行うことで、一括して機能を設定するための設定パターンを取得することができる。即ち、第１の指標として２１を示す信号が制御部１０へ入力された場合は、「本体操作部の操作禁止」の設定内容が「する」、「入力切換の禁止」の設定内容が「しない」、「設定メニューの表示禁止」の設定内容が「する」、「リモコン装置の操作禁止」の設定内容が「しない」、「最大音量の設定」の設定内容が「する」の設定パターンを取得する。また、第１の指標として０５を示す信号が制御部１０へ入力された場合は、「本体操作部の操作禁止」の設定内容が「する」、「入力切換の禁止」の設定内容が「しない」、「設定メニューの表示禁止」の設定内容が「する」、「リモコン装置の操作禁止」の設定内容が「しない」、「最大音量の設定」の設定内容が「しない」の設定パターンを取得する。制御部１０は、複数の設定項目について、取得した設定パターンが示す設定内容を、設定記憶部１１に書き込んで記憶させる。このようにして設定値を入力する（即ち、第１の指標を示す信号を入力する）ことで、複数の設定項目について第１の指標に対応する設定パターンとなるように機能を一括設定することができる。
【００６４】
また、ステップＳ３５において第２の指標を示す信号が入力されている場合は、ステップＳ３６において、制御部１０は、第２の指標が示す「最大音量値」を、「最大音量の設定」の設定項目について補助的に機能を設定するための補助的な設定内容として設定記憶部１１に書き込んで記憶させる。
【００６５】
また、ステップＳ３６において、取得した設定パターンに基づいて、複数の設定項目について一括して機能を設定すると、図１８及び図２０に示すように、表示制御部１２は、ＯＳＤ信号を映像信号処理部６へ出力し、設定パターンが設定内容に反映されたＯＳＤ画像をディスプレイ７に表示させる。
【００６６】
そして、ステップＳ２８と同様に、本体操作部１３やリモコン装置１５の操作部１５ａを操作することで、業務用設定を終了する旨の信号が制御部１０へ入力されて（ステップＳ３７）、表示制御部１２が映像信号処理部６へのＯＳＤ信号の出力を停止する。
【００６７】
上記実施形態のテレビ受信装置１によれば、以下のような効果を得ることができる。
（１）テレビ受信装置１は、複数の設定項目についての設定パターンに対応する第１の指標をディスプレイ７に表示させるとともに、設定パターンに応じて、「最大音量の設定」の設定項目について機能を設定するための第２の指標をディスプレイ７に表示させる表示制御部１２を備えている。さらに、テレビ受信装置１は、第１の指標を示す信号が入力されることで、複数の設定項目について上記設定パターンとなるように一括して機能を設定するとともに、第２の指標を示す信号が入力された場合には、「最大音量の設定」の設定項目について機能を設定する制御部１０を備えている。このため、機能を設定する際に、複数の設定項目について個々に機能を設定することで、その設定パターンに対応した第１の指標をディスプレイ７に表示することができ、任意の設定パターンに対応した第１の指標を、機能を設定する者（即ち、テレビ受信装置１の管理者である宿泊施設の従業員等）に提示することができる。そして、ディスプレイ７に表示された第１の指標を示す信号を制御部１０へ入力することで、複数の設定項目について上記設定パターン（即ち、第１の指標に対応する設定パターン）となるように一括して機能を設定することができる。従って、第１の指標を示す信号を、２台目以降のテレビ受信装置１の制御部１０に入力することで、複数台のテレビ受信装置１について、任意の設定パターンで、機能の設定が同じ設定となるように、機能の設定を容易に行うことができる。
【００６８】
（２）テレビ受信装置１は、上記（１）に記載したように表示制御部１２と制御部１０を備えており、表示制御部１２は、設定パターンに応じて、「最大音量の設定」について機能を設定するための第２の指標をディスプレイ７に表示させ、制御部１０は、第２の指標を示す信号が入力された場合には、「最大音量の設定」について機能を設定する。このため、第１の指標に対応する設定パターンが、「最大音量の設定」の設定項目について補助的に機能を設定する必要がない設定パターンであれば、補助的に機能を設定するための第２の指標をディスプレイ７に表示させないようにすることができ、第２の指標を、機能を設定する者に対して提示しないようにすることができる。従って、第１の指標に対応する設定パターンが、第２の指標を示す信号を入力する必要がない設定パターンであれば、第１の指標を示す信号のみを制御部１０へ入力することで、機能を設定することができる。その結果、設定パターンに応じて、第１の指標及び第２の指標を示す信号を制御部１０へ入力する場合に比し、機能の設定をさらに容易に行うことができる。
【００６９】
（３）第１の指標及び第２の指標を示すリモコン信号を受信するリモコン信号受信部１４を備えている。このため、ディスプレイ７に表示された第１の指標を示す信号を遠隔操作により制御部１０へ入力することで、複数の設定項目について第１の指標に対応する設定パターンとなるように一括して設定することを容易に行うことができる。また、ディスプレイ７に表示された第２の指標を示す信号を遠隔操作により制御部へ入力することで、設定項目について補助的に設定することを容易に行うことができる。
【００７０】
（４）表示制御部１２は、設定パターンに対して演算を行った結果を、第１の指標としてディスプレイ７に表示させる。このため、例えば、設定パターンと第１の指標との対応を示すテーブルを設定記憶部１１等のメモリに記憶させる必要をなくすことができる。
【００７１】
（５）第１の指標を示す信号が制御部１０へ入力された場合、表示制御部１２は、第１の指標に対応する設定パターンをディスプレイ７に表示させる。このため、機能を設定する者が、機能を一括して設定するための意図した設定パターンとなっているか否かを確認することができる。
【００７２】
（第２の実施形態）
次に、本発明の第２の実施形態に係る映像表示装置について説明する。本発明の第２の実施形態に係る映像表示装置は、上述の第１の実施形態と同一の構成を備えたテレビ受信装置１であるため、本実施形態におけるテレビ受信装置１の構成は、同一の符号を示して、ここでは、詳しい説明を省略する。
【００７３】
本実施形態においては、業務用設定の初期設定として、「本体操作部の操作禁止」、「入力切換の禁止」、「設定メニューの表示禁止」、「リモコン装置の操作禁止」及び「最大音量の設定」の設定内容は、「する」及び「しない」のいずれも選択されていない状態に設定されている。以下に、本実施形態において、１台目のテレビ受信装置１の機能を設定する際の手順を、図２１を参照しながら説明する。
【００７４】
まず、テレビ受信装置１の管理者である宿泊施設の従業員等が、本体操作部１３やリモコン装置１５の操作部１５ａを操作することで、ステップＳ２１と同様に、業務用設定を開始する旨の信号が制御部１０へ入力される（ステップＳ４１）。
【００７５】
次いで、リモコン装置１５の上下キー２２と決定キー２３が操作されて、ステップＳ２２と同様に、設定を行うための設定項目を選択する旨の信号が制御部１０へ入力される（ステップＳ４２）。
【００７６】
次いで、リモコン装置１５の上下キー２２と決定キー２３が操作されて、ステップＳ２３と同様に、設定内容を選択する旨の信号が制御部１０へ入力される（ステップＳ４３）。
【００７７】
次いで、制御部１０により、全ての設定項目について、設定が完了しているか否かが判断される（ステップＳ４４）。即ち、「本体操作部の操作禁止」、「入力切換の禁止」、「設定メニューの表示禁止」、「リモコン装置の操作禁止」及び「最大音量の設定」の全ての設定項目について、設定内容として「する」または「しない」のいずれかが選択されている場合は、設定が完了していると判断する。一方、「本体操作部の操作禁止」、「入力切換の禁止」、「設定メニューの表示禁止」、「リモコン装置の操作禁止」及び「最大音量の設定」のいずれかの設定項目について、設定内容として「する」または「しない」のいずれかが選択されていない場合は、設定が完了していないと判断する。設定が完了していないと判断された場合は、ステップＳ４２以降の処理が繰り返される。
【００７８】
ステップＳ４４において設定が完了していると判断された場合は、制御部１０は、ステップＳ２４と同様に、補助的な設定内容が選択されたか否かを判断する（ステップＳ４５）。即ち、ステップＳ４３において、「最大音量の設定」の設定内容として「する」が選択されて、補助的な設定内容である「最大音量値」として任意の数値が選択されたか否かを判断する。
【００７９】
ステップＳ４５において補助的な設定内容が選択されたと判断された場合は、ステップＳ２５と同様に、表示制御部１２が、ＯＳＤ信号を映像信号処理部６へ出力して、設定値として第１の指標と第２の指標をディスプレイ７に表示させる（ステップＳ４６）。
【００８０】
一方、ステップＳ４５において補助的な設定内容が選択されていないと判断された場合は、ステップＳ２５と同様に、表示制御部１２が、ＯＳＤ信号を映像信号処理部６へ出力して、設定値として第１の指標のみをディスプレイ７に表示させる（ステップＳ４７）。
【００８１】
そして、ステップＳ２８と同様に、本体操作部１３やリモコン装置１５の操作部１５ａを操作することで、業務用設定を終了する旨の信号が制御部１０へ入力されて（ステップＳ４８）、表示制御部１２が映像信号処理部６へのＯＳＤ信号の出力を停止する。
【００８２】
本実施形態においても、上記第１の実施形態と同様に、図１３に示す手順で、２台目以降のテレビ受信装置１の機能の設定が行われ、本実施形態のテレビ受信装置１によっても、上述の第１の実施形態のテレビ受信装置１と同様に、上記（１）〜（５）に記載の効果を得ることができる。
【００８３】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよい。
【００８４】
・上記実施形態においては、複数の設定項目の設定パターンに対応する第１の指標や、補助的に機能を設定するための第２の指標は、数字で表された数値であったが、第１の指標や第２の指標が数字で表されなくてもよい。即ち、例えば、第１の指標や第２の指標が、リモコン装置１５の操作部１５ａのいずれかのボタンを示す記号や文字であってもよい。
【００８５】
・上記実施形態においては、第１の指標は、設定パターンに対して演算を行った結果であったが、設定パターンに対応する第１の指標を、テーブルを用いて取得してするように構成してもよい。このように構成しても上記（４）以外の効果を得ることができる。
【００８６】
・上記実施形態においては、第１の指標及び第２の指標を示す信号は、リモコン信号受信部１４から入力されていたが、第１の指標及び第２の指標を示す信号を制御部１０へ入力するために本体操作部１３が操作されて、本体操作部１３から第１の指標及び第２の指標を示す信号が入力されるように構成してもよい。即ち、第１の指標及び第２の指標を示す信号を制御部１０へ入力するために操作される本体操作部１３を備えるように構成してもよい。このように構成すれば、リモコン装置１５を使用せずに本体操作部１３を直接操作することで、ディスプレイ７に表示された第１の指標及び第２の指標を示す信号を入力することができる。
【００８７】
・上記実施形態においては、第１の指標及び第２の指標を示すリモコン信号を受信するリモコン信号受信部１４を備えていたが、第１の指標及び第２の指標を示す信号を制御部１０へ入力するために操作される本体操作部１３を備えることで、リモコン信号受信部１４を備えない構成としてもよい。このように構成しても上記（３）以外の効果を得ることができる。
【００８８】
・上記実施形態においては、映像表示装置はテレビ受信装置１であったが、放送信号を受信せずに、外部から入力される映像信号に含まれ得る映像情報に基づいて映像を表示するものであってもよい。即ち、映像が表示される表示部を備え、機能の設定が可能であって、機能を設定する際に必要な複数の設定項目について個々に設定が可能な映像表示装置であればどのようなものであってもよい。
【図面の簡単な説明】
【００８９】
【図１】本発明の実施形態に係る映像表示装置であるテレビ受信装置の概略構成を示すブロック図。
【図２】リモコン装置の外観を示す上面図。
【図３】本発明の実施形態に係るテレビ受信装置の動作を説明するためのフローチャート。
【図４】複数台のテレビ受信装置について、機能を設定する際の手順を示すフローチャート。
【図５】１台目のテレビ受信装置について、機能を設定する際の手順を示すフローチャート。
【図６】設定項目を選択させるための業務用設定メニューが表示されたディスプレイの正面図。
【図７】設定内容を選択させるための業務用設定メニューが表示されたディスプレイの正面図。
【図８】設定内容を選択させるための業務用設定メニューが表示されたディスプレイの正面図。
【図９】補助的な設定内容を選択させるための業務用設定メニューが表示されたディスプレイの正面図。
【図１０】設定値として第１の指標及び第２の指標が表示されたディスプレイの正面図。
【図１１】設定パターンと第１の指標との関係を示す図。
【図１２】設定値として第１の指標のみが表示されたディスプレイの正面図。
【図１３】２台目以降のテレビ受信装置について、機能を設定する際の手順を示すフローチャート。
【図１４】業務用設定メニューが表示されたディスプレイの正面図。
【図１５】第１の指標の入力前における、第１の指標を入力するための業務用設定メニューが表示されたディスプレイの正面図。
【図１６】第１の指標の入力完了後であって第２の指標の入力前における、第２の指標を入力するための業務用設定メニューが表示されたディスプレイの正面図。
【図１７】第２の指標の入力完了後における、業務用設定メニューが表示されたディスプレイの正面図。
【図１８】設定値に対応する設定パターンが設定内容に反映された業務用設定メニューが表示されたディスプレイの正面図。
【図１９】第１の指標の入力完了後における、業務用設定メニューが表示されたディスプレイの正面図。
【図２０】設定値に対応する設定パターンが設定内容に反映された業務用設定メニューが表示されたディスプレイの正面図。
【図２１】第２の実施形態に係るテレビ受信装置において、１台目のテレビ受信装置について、機能を設定する際の手順を示すフローチャート。
【符号の説明】
【００９０】
Ａ…アンテナ、１…テレビ受信装置（映像表示装置）、２…チューナー、３…復調部、４…デスクランブル部、５…多重分離部、６…映像信号処理部、７…ディスプレイ（表示部）、８…音声信号処理部、９…スピーカー、１０…制御部、１１…設定記憶部、１２…表示制御部、１３…本体操作部、１４…リモコン信号受信部、１５…リモコン装置。
【図１】
0005258404.tif 000002
【図２】
0005258404.tif 000003
【図３】
0005258404.tif 000004
【図４】
0005258404.tif 000005
【図５】
0005258404.tif 000006
【図６】
0005258404.tif 000007
【図７】
0005258404.tif 000008
【図８】
0005258404.tif 000009
【図９】
0005258404.tif 000010
【図１０】
0005258404.tif 000011
【図１１】
0005258404.tif 000012
【図１２】
0005258404.tif 000013
【図１３】
0005258404.tif 000014
【図１４】
0005258404.tif 000015
【図１５】
0005258404.tif 000016
【図１６】
0005258404.tif 000017
【図１７】
0005258404.tif 000018
【図１８】
0005258404.tif 000019
【図１９】
0005258404.tif 000020
【図２０】
0005258404.tif 000021
【図２１】
0005258404.tif 000022